(57)【要約】【課題】組立性が向上したランプ、ランプホルダー、電源供給モジュール、それを有するバックライトアセンブリを提供する。【解決手段】ランプホルダーからの離脱を防止する離脱防止部を含むランプ、ランプリード線及びワイヤーと着脱可能に結合される電源印加部材を含むか、リード線の移動を許容する導電性接着部材または電源印加端子を含むランプホルダー、接続部が形成された電源供給基板及び接続部に直接接触される電源印加部材を含むランプホルダーを含む電源供給モジュール、電源供給基板に形成された固定部にそれぞれ固定されるか、連結プレートに形成された固定ホールにそれぞれ挿入されるランプホルダーを提供する。【選択図】図２８
2006344602.tif 000002
【特許請求の範囲】
【請求項１】
放電ガスが注入されたランプチューブと、
前記ランプチューブの端部の内部に配置された電極と、
連結部及び離脱防止部を含むリード線と、
を含み、前記連結部は前記電極から前記離脱防止部まで延長され、前記離脱防止部は前記ランプチューブの外部に位置することを特徴とするランプ。
【請求項２】
前記ランプチューブの長さ方向に対して垂直である方向を基準にして、前記離脱防止部の第１断面積は前記連結部の第２断面積より大きいことを特徴とする請求項１に記載のランプ。
【請求項３】
前記離脱防止部は、球形状を有することを特徴とする請求項２に記載のランプ。
【請求項４】
前記離脱防止部は、前記ランプチューブから遠くなるほど前記第１断面積が漸進的に増加する面取り（ｃｈａｍｆｅｒ）形状を有することを特徴とする請求項２に記載のランプ。
【請求項５】
ランプチューブの端部を支持するランプ支持部を含むホルダー本体と、
前記ホルダー本体に固定され、前記ランプチューブの端部に配置された電極に電源電圧を提供する電源電圧提供ワイヤーが圧接接続された電源印加部材と、
を含むことを特徴とするランプホルダー。
【請求項６】
前記電源印加部材は、
前記電源電圧提供ワイヤーが圧接接続される第１クリープ部と、
前記電極から延長されたリード線をホールディングする第２クリープ部と、
を含むことを特徴とする請求項５に記載のランプホルダー。
【請求項７】
前記ホルダー本体は、
前記ランプ支持部が突出する底部と、
前記底部から突出したワイヤーガイド部と、
をさらに含み、前記第２クリップ部は前記ワイヤーガイド部に固定されることを特徴とする請求項６に記載のランプホルダー。
【請求項８】
上面にランプ支持溝が形成され前記ランプ支持溝の近くに収納空間が形成されたランプ本体と、
前記収納空間に配置され、互いに電気的に接続され一端に露出された電源印加端子及び他端に露出された接続端子を有する電源印加部材と、
前記電源印加部材をカバーする導電性接着部材と、
を含むことを特徴とするランプホルダー。
【請求項９】
前記収納空間に挿入され、前記導電性接着部材を加圧して前記リード線及び電源印加部材に接触させるホルダーキャップをさらに含むことを特徴とする請求項８に記載のランプホルダー。
【請求項１０】
前記リード線を基準にして互いに対向する前記ホルダー本体の両側面には前記収納空間に連結される締結ホールがさらに形成され、
前記ホルダーキャップの下端には前記締結ホールにそれぞれ挿入される締結フックが形成されることを特徴とする請求項９に記載のランプホルダー。
【請求項１１】
上面にランプ支持溝が形成され前記ランプ支持溝の近くに収納空間が形成されたホルダー本体と、
前記収納空間に配置され前記ランプ支持溝に配置されたランプのリード線を取り囲む電源印加部材と、
前記収納空間に挿入され、前記電源印加部材を加圧して前記リード線に接触させるホルダーキャップと、
を含み、
前記電源印加部材は互いに対向し前記リード線の両側にそれぞれ接触する第１及び第２接続端子を含み、前記第１及び第２接続端子はそれぞれ２個以上の端子部に分割されたことを特徴とするランプホルダー。
【請求項１２】
ホルダー本体、前記ホルダー本体に固定された接続端子及びランプに電源を印加する電源印加端子を含む電源印加部材を含むランプホルダーと、
前記接続端子に接触する電源供給基板と、
を含むことを特徴とする電源供給モジュール。
【請求項１３】
前記電源供給基板には前記ランプホルダーがそれぞれ固定される固定部がさらに形成されることを特徴とする請求項１２に記載の電源供給モジュール。
【請求項１４】
前記固定部は、前記ランプホルダーがそれぞれ挿入される固定ホールであることを特徴とする請求項１３に記載の電源供給モジュール。
【請求項１５】
前記固定ホールの近くの前記電源供給基板の背面に形成された接続部をさらに含むことを特徴とする請求項１４に記載の電源供給モジュール。
【請求項１６】
前記接続端子は前記背面に露出され前記接続部に接触することを特徴とする請求項１５に記載の電源供給モジュール。
【請求項１７】
前記接続端子は、前記背面に露出され前記接続部に半田付けされることを特徴とする請求項１５に記載の電源供給モジュール。
【請求項１８】
前記固定部は、
前記ホルダー本体の下部に形成された締結溝に挿入される第１突出部と、
前記第１突出部の周辺部に形成され、前記ホルダー本体の下部が前記第１突出部と第２突出部との間に位置するように前記ホルダー本体の下部の外側面をカバーする第２突出部と、
を含むことを特徴とする請求項１３に記載の電源供給モジュール。
【請求項１９】
前記接続端子は前記締結溝の内側に突出し、
前記ランプホルダーが前記電源供給基板と結合されるまで前記接続端子と電気的に接続されるように前記第１突出部に形成された接続部をさらに含むことを特徴とする請求項１８に記載の電源供給モジュール。
【請求項２０】
複数個の前記ランプホルダーがそれぞれ挿入される固定ホールが形成され、前記電源供給基板と結合する連結プレートをさらに含むことを特徴とする請求項１２に記載の電源供給モジュール。
【請求項２１】
前記接続端子は、前記ホルダー本体の下部からスプリング形状を有するように突出し、前記電源供給基板は前記電源供給基板の上面で前記接続端子と接触する接続部を含むことを特徴とする請求項２０に記載の電源供給モジュール。
【請求項２２】
前記接続端子は、板スプリング形状を有することを特徴とする請求項２１に記載の電源供給モジュール。
【請求項２３】
前記接続端子は、コイルスプリング形状を有することを特徴とする請求項２１に記載の電源供給モジュール。
【請求項２４】
前記電源供給基板は、
前記連結プレートと結合する絶縁基板と、
前記絶縁基板に配置された電源供給素子と、
前記電源供給素子と電気的に接続され、一部が前記絶縁基板の表面に露出され前記接続部を形成する導電配線と、
を含むことを特徴とする請求項２０に記載の電源供給モジュール。
【請求項２５】
前記連結プレートには第１結合部がさらに形成され、
前記電源供給基板には前記第１結合部と締結される第２結合部がさらに形成されることを特徴とする請求項２０に記載の電源供給モジュール。
【請求項２６】
前記第１結合部と第２結合部は、それぞれ締結突起及び締結ホールのうち選択された互いに異なるいずれか１つであることを特徴とする請求項２５に記載の電源供給モジュール。
【請求項２７】
前記連結プレートと電源供給基板とを結合させる締結部材をさらに含むことを特徴とする請求項２０に記載の電源供給モジュール。
【請求項２８】
前記締結部材は、スクリューであることを特徴とする請求項２７に記載の電源供給モジュール。
【請求項２９】
前記締結部材は、前記連結プレートと電源供給基板を加圧するクリップであることを特徴とする請求項２７に記載の電源供給モジュール。
【請求項３０】
前記締結部材は、前記連結プレートと電源供給基板との間に介在された接着テープであることを特徴とする請求項２７記載の電源供給モジュール。
【請求項３１】
前記ホルダー本体には第１結合部が形成され、
前記電源供給基板には前記第１結合部と締結される第２結合部がさらに形成されることを特徴とする請求項１２に記載の電源供給モジュール。
【請求項３２】
前記第１結合部と第２結合部は、それぞれ締結突起及び締結ホールのうち選択された互いに異なるいずれか１つであることを特徴とする請求項３１に記載の電源供給モジュール。
【請求項３３】
前記ホルダー本体は、前記電源供給基板のうち前記接続部の周辺部に接着されることを特徴とする請求項１２に記載の電源供給モジュール。
【請求項３４】
前記ホルダー本体の上部には、ランプの端部をガイドするランプ支持溝と、前記電源印加端子が露出される収納空間とが形成されることを特徴とする請求項１２に記載の電源供給モジュール。
【請求項３５】
前記電源印加端子は、 前記ランプのリード線をホールディングするように配置される第１及び第２接続端子を含み、
前記ランプホルダーは前記収納空間に挿入され前記第１及び第２接続端子を前記リード線に接触させるホルダーキャップをさらに含むことを特徴とする請求項３４に記載の電源供給モジュール。
【請求項３６】
開口が形成された底板を含む収納容器と、
前記開口に挿入されそれぞれランプと結合され、ホルダー本体と、前記ホルダー本体に固定され前記底板の背面に露出された接続端子及び前記底板の上部に露出され前記ランプの電極部を固定する電源印加端子を含む電源印加部材とを含むランプホルダーと、
前記背面に配置され、前記接続端子に接触される接続部が形成された電源供給基板と、
を含むことを特徴とするバックライトアセンブリ。
【請求項３７】
前記電源供給基板は、
絶縁基板と、
一部が前記絶縁基板の表面に露出され前記接続部を形成する導電配線と、
を含むことを特徴とする請求項３６に記載のバックライトアセンブリ。
【請求項３８】
前記絶縁基板には前記ランプホルダーがそれぞれ挿入される固定ホールが形成され、
前記接続端子は前記絶縁基板の背面に形成された前記接続部に接触することを特徴とする請求項３７に記載のバックライトアセンブリ。
【請求項３９】
前記絶縁基板には前記ランプホールがそれぞれ結合される固定部が形成され、
前記接続端子は前記固定部に形成された前記接続部に接触することを特徴とする請求項３７に記載のバックライトアセンブリ。
【請求項４０】
前記ランプホルダーがそれぞれ挿入される固定ホールが形成され、前記底板と絶縁基板との間に配置される連結プレートをさらに含み、
前記接続部は前記絶縁基板の上面に形成され、前記連結プレートの背面に露出された前記接続端子と接触することを特徴とする請求項３７に記載のバックライトアセンブリ。
【請求項４１】
前記ホルダー本体には前記開口に挿入される方向と反対の方向に前記ホルダー本体の離脱を防止する固定フックが形成されることを特徴とする請求項３７に記載のバックライトアセンブリ。
【請求項４２】
前記ランプホルダーをカバーするサイドモールドと、
前記サイドモールド上に配置され前記ランプから出射した光の光学特性を向上させる光学ユニットと、
をさらに含むことを特徴とする請求項３７に記載のバックライトアセンブリ。
【請求項４３】
電源電圧を提供する電源供給基板と、
ランプチューブと、前記ランプチューブの端部の内部に配置された電極を含み、前記電極が延長されリード線を形成する複数個のランプと、
前記電源供給基板と前記ランプとを電気的に並列接続する電源電圧提供ワイヤーと、
前記電源電圧提供ワイヤーに沿って配列されランプチューブの端部が配置されるランプ支持溝が形成されたホルダー本体及び前記電源提供ワイヤーが圧接接続され前記電極のリード線が挿入される電源印加部材を含むランプホルダーと、
を含むことを特徴とするバックライトアセンブリ。
【請求項４４】
開口が形成された底板を含む収納容器と、
前記底板に配置され、電極部を具備する複数個のランプと、
前記開口に挿入されるホルダー本体と、前記ホルダー本体に固定され前記底板の背面に露出された接続端子及び前記底板の上部に露出され前記ランプの電極と接続された電源印加端子を含む電源印加部材とを含むランプホルダーと、
前記ランプホルダーがそれぞれ結合される固定部及び前記接続端子に接触される接続部が形成された電源供給ユニットと、
前記ランプの上部に配置され前記ランプから出射された光に基づいて画像を表示する表示パネルと、
を含むことを特徴とする表示装置。
【請求項４５】
前記電源供給ユニットは、
前記固定部が形成された絶縁基板と、
一部が前記絶縁基板の表面に露出され前記接続部を形成する導電配線と、
を含むことを特徴とする請求項４４に記載の表示装置。
【請求項４６】
前記電源供給ユニットは、
前記接続部が形成された電源供給基板と、
前記電源供給基板と底板との間に配置され、前記固定部が形成された連結プレートと、を含むことを特徴とする請求項４４に記載の表示装置。
【発明の詳細な説明】
【技術分野】
【０００１】
本発明はランプ、ランプホルダー、電源供給モジュール、それを有するバックライトアセンブリ及び表示装置に関し、より詳細には、離脱防止部を有するランプ、組立性が向上されたランプホルダー、電源供給ユニット、それを有するバックライトアセンブリ及び表示装置に関する。
【背景技術】
【０００２】
現在、開発された多様な平板表示装置のうち液晶表示装置は他の表示装置に比べて薄くて軽く、低消費電力及び低駆動電圧を有し、しかも陰極線管に近い画像表示が可能であるので多様な電子装置に幅広く用いられている。
【０００３】
一方、液晶表示装置は外部光源を用いて画像を表示する透過型液晶表示装置と、外部光源の代わりに自然光を用いた反射型液晶表示装置に分けることができる。時計や計算器などのように電力消耗を極小化しなければならない電子機器においては、反射型液晶表示装置を多く使用するが、大型画面高品位の画像表示を要求するノートブックコンピュータには透過型液晶表示装置を使用することが一般的である。
【０００４】
透過型液晶表示装置は、表示パネルの後面に配置されたバックライトを外部光源として使用するが、従来の表示装置に採用されるバックライトアセンブリは光源の配置によって直下型バックライトアセンブリと、エッジ型バックライトアセンブリに分けることができる。
【０００５】
直下型バックライトアセンブリでは、表示パネルの下部に複数個の光源が配置される。エッジ型バックライトアセンブリは導光板の側面に光源が配置され表示パネルに光を提供する。
【０００６】
直下型バックライトアセンブリに使用される光源としては、冷陰極蛍光ランプ（ＣＣＦＬ）が代表的であり、このような冷陰極蛍光ランプが採用された直下型バックライトアセンブリでは、収納容器の底板上にランプを固定するためにランプホルダーを含む。
【０００７】
最近、表示パネルのサイズが大型化されている。それにより、大型表示パネルに均一で高輝度の光を提供するために、１つの平板蛍光ランプを光源として使用するか、並列に配置された複数の蛍光ランプを光源として使用するバックライトアセンブリが開発されたところである。また、複数個のランプを組み立てることを容易にするために、ランプの電極部とランプホルダーが挿入組み合わされるバックライトアセンブリが開発されたところである。
【０００８】
しかし、ランプホルダーはランプを収納容器の底面上に堅固に固定することができる反面、前述したように表示パネルのサイズが増加し、バックライトアセンブリに採用するランプの個数も増加する傾向であり、これにより表示装置に装着されるランプホルダーの個数も増加している。ランプホルダーの個数が増加する場合、表示装置の重さ及び組立時間が増加される。
【０００９】
また、従来のバックライトアセンブリの組立工程では、ランプに駆動電圧を提供するために、複数個のランプホルダーとインバータに接続された電源電圧提供ワイヤーを半田付けするか、複数個のランプホルダーを印刷回路基板に半田付けすることが行われている。
【００１０】
それにより、バックライトアセンブリの組立に時間が多く所要され、半田付け工程中ランプリード線がランプホルダーから離脱するか、ランプが損傷するケースが頻繁に発生するという問題点がある。
【００１１】
また、バックライトアセンブリの作動時間が長くなることにより、半田付け部位がよく断線するという問題点がある。
【特許文献１】韓国特許公開2003-50831号明細書
【発明の開示】
【発明が解決しようとする課題】
【００１２】
本発明の技術的課題は、このような従来の問題点を解決するためのもので、本発明の目的はランプホルダーとの組立時における信頼性を向上することができるランプを提供することにある。
【００１３】
本発明の他の目的は、ランプと電源供給基板との組立性が向上されたランプホルダーを提供することにある。
【００１４】
本発明のさらに他の目的は、組立性の向上された電源供給モジュールを提供することにある。
【００１５】
本発明のさらに他の目的は、前述したような電源供給モジュールを含むバックライトアセンブリを提供することにある。
【００１６】
本発明のさらに他の目的は、前述したような電源供給モジュールを含む表示装置を提供することにある。
【課題を解決するための手段】
【００１７】
前述した本発明の目的を実現するために、一実施例によるランプは放電ガスが注入されたランプチューブ、電極及びリード線を含む。電極はランプチューブの端部の内部に配置され、リード線は連結部及び離脱防止部を含む。前記連結部は前記電極から前記ランプチューブの外部に延長されランプホルダーに固定された電源印加部材に挿入される。前記離脱防止部は前記連結部の端部に形成され前記電源印加部材から前記連結部の離脱を防止する。
【００１８】
前述した本発明の他の目的を実現するために、一実施例によるランプホルダーはホルダー本体及び電源印加部材を含む。前記ホルダー本体はランプチューブの端部を固定するランプ支持部を含む。前記電源印加部材は、前記ホルダー本体に固定され、前記電源印加部材には前記ランプチューブの端部に配置された電極及び前記電極に電源電圧を提供するワイヤーがそれぞれ挿入される。
【００１９】
前述した本発明の他の目的を実現するために、一実施例によるランプホルダーはホルダー本体、電源印加部材及び導電性接着部材を含む。前記ホルダー本体の上面にはランプ支持溝が形成され、前記ランプ支持溝の近くには収納空間が形成される。前記電源印加部材は、前記収納空間に配置され、前記ランプ支持溝に配置されたランプのリード線の両側に突出する。前記導電性接触部材は前記電源印加部材及びリード線をカバーし、前記電源印加部材とリード線とを電気的に接続する。
【００２０】
前述した本発明のさらに他の目的を実現するために、一実施例による電源供給モジュールはランプホルダー及び電源供給基板を含む。前記ランプホルダーはホルダー本体及び電源印加部材を含む。前記電源印加部材は接続端子及び電源印加端子を含む。前記接続端子は前記ホルダー本体に固定され、前記電源印加端子はランプに電源を印加する。前記電源供給基板には前記接続端子に接触される接続部が形成される。
【００２１】
前記した本発明のさらに他の目的を実現するために、一実施例によるバックライトアセンブリは収納容器、複数個のランプ、ランプホルダー及び電源供給基板を含む。前記収納容器は開口が形成された底板と含み、前記ランプは前記底板に配置される。前記ランプホルダーはホルダー本体及び電源印加部材を含む。前記ホルダー本体は前記開口に挿入される。前記電源印加部材は接続端子及び電源印加端子を含む。前記接続端子は前記ホルダー本体に固定され前記底板の背面に露出され、前記電源印加端子は前記底板の上部に露出され前記ランプの電極部を固定する。前記電源供給基板は前記背面に配置され、前記電源供給基板には前記接続端子に接触する接続部が形成される。
【００２２】
前述した本発明のさらに他の目的を実現するために、一実施例によるバックライトアセンブリは電源供給基板、複数個のランプ、電源電圧提供ワイヤー及び複数個のランプホルダーを含む。前記電源供給基板は前記ランプに電源電圧を提供する。前記ランプはランプチューブ及び前記ランプチューブの端部の内部に配置された電極を含む。前記電源電圧提供ワイヤーは前記電源供給基板と前記ランプとを電気的に並列接続する。前記ランプホルダーはホルダー本体及び電源印加部材を含む。前記ホルダー本体は前記電源電圧提供ワイヤーに沿って配列され、前記ホルダー本体にはランプチューブの端部が配置されるランプ支持溝が形成される。前記電源印加部材には  前記電源電圧提供ワイヤーが圧接接続され前記電極のリード線が挿入される。
【００２３】
前述した本発明のさらに他の目的を実現するために、一実施例による表示装置は収納容器、複数個のランプ、ランプホルダー、電源供給ユニット及び表示パネルを含む。前記収納容器は開口が形成された底板を含み、前記ランプは前記底板に配置される。前記ランプホルダーはホルダー本体及び電源印加部材を含む。前記ホルダー本体は前記開口に挿入される。前記電源印加部材は接続端子及び電源印加端子を含む。前記接続端子は前記ホルダー本体に固定され前記底板の背面に露出され、前記電源印加端子は前記底板の上部に露出され前記ランプの電極部を固定する。前記電源供給ユニットには固定部及び接続部が形成される。前記固定部には前記背面に露出された前記ランプホルダーがそれぞれ結合され、前記接続端子は前記接続部に接触する。前記表示パネルは前記ランプの上部に配置され前記ランプから出射した光に基づいて画像を表示する。
【００２４】
このように構成することにより、ランプの離脱による損傷を防止し、ランプユニット及びそれを有するバックライトアセンブリの衝撃信頼性が向上する。
【００２５】
このようなランプホルダー及びそれを有するバックライトアセンブリによると、ランプのリード線とランプホルダーと間の電気的連結部がフレキシブルな特性を有するので外部衝撃に起因したランプの損傷を大きく減少することができる。
【００２６】
このような電源供給ユニット、それを有するバックライトアセンブリ及び表示装置によると、ランプホルダーを収納容器の底板に固定させる工程及びランプホルダーと電源供給基板との間の半田付け工程を省略でき、前記電源供給基板に対する再加工（ｒｅｗｏｒｋ）が容易で、前記電源供給ユニットを有するバックライトアセンブリ及び表示装置の組立性を向上し構成単品の数を減少させることができる。
【発明を実施するための最良の形態】
【００２７】
以下、添付図面を参照して、本発明の好ましい実施形態をより詳細に説明する。
【００２８】
ランプ
図１は本発明の第１実施例によるランプの斜視図である。
【００２９】
図１に示すように、ランプ６０はランプホルダー３０に固定される。ランプホルダー３０は、ランプ６０の一端部をガイドして固定し、ランプ６０と電気的に接続され、ランプ６０に電源電圧を印加する。ランプホルダー３０はホルダー本体４０及び電源印加部材５０を含む。
【００３０】
ホルダー本体４０は底部４１及びランプ支持部４５を含む。
【００３１】
ランプ支持部４５は底部４１から延長されて形成され、ランプ支持部４５の上部にはランプ６０の端部が配置されるランプガイド溝が形成される。
【００３２】
電源印加部材５０は、ホルダー本体４０の上部からホルダー本体４０の底部４１まで貫通するように配置される。電源印加部材５０のうち底部４１から突出した部分を接続端子として定義し、電源印加部材５０のうち接続端子に連続して形成され、ホルダー本体４０の上部に突出した部分を電源印加端子として定義する。電源印加端子は一側が開口したリング形状を有する。
【００３３】
ランプ６０はランプホルダー３０を通じて外部から電源電圧の印加を受けて光を出射する。ランプ６０は、例えば、冷陰極蛍光ランプであり、ランプ６０はランプチューブ６１、電極及びリード線６８を含む。
【００３４】
ランプチューブ６１は透明なガラスを含み円筒形状を有し、ランプチューブ６１の内面には蛍光層が形成される。ランプチューブ６１には、放電ガス、例えば、水銀、微量のアルゴン、ネオン、クセノン及びクリプトンなどが注入される。電極はランプチューブ６１の端部にそれぞれ配置される。ランプチューブ６１の端部はホルダー本体４０に形成されたランプ支持溝によってガイドされる。
【００３５】
図２は図１に示されたランプの平面図である。図３は図１に示されたランプをI-I'線に沿って切断した部分断面図である。
【００３６】
図２及び図３に示すように、リード線６８は、電極６３と電源印加部材５０とを電気的に接続する。具体的に、リード線６８は連結部６５及び離脱防止部６７を含む。連結部６５は電極６３からランプチューブ６１の外部に延長され電源印加端子に接続される。離脱防止部６７は連結部６５の端部に形成される。
【００３７】
ランプチューブ６１の長さ方向に垂直である方向を基準にして、離脱防止部６７の第１断面積は連結部６５の第２断面積より大きい。本実施例において、離脱防止部６７は連結部６５の直径より大きな直径を有する球形状を有している。それにより、離脱防止部６７は、リード線６８が電源印加端子からランプチューブ６１の長さの方向に離脱することを防止する。
【００３８】
図４は本発明の第２実施例によるランプの平面図である。
【００３９】
図４に示すように、ランプ１６０はランプチューブ１６１、電極１６３及びリード線１６８を含む。ランプ１６０はリード線１６８を除いては図１〜図３に示されたランプ６０と同一である。リード線１６８は、連結部１６５及び離脱防止部１６７を含み、リード線１６８は離脱防止部１６７を除いては図１〜図３に示されたリード線６８と同一である。
【００４０】
ランプチューブ１６１の長さ方向に対して垂直である方向を基準にして、離脱防止部１６７の第１断面積は連結部１６５の第２断面積より大きい。本実施例において、離脱防止部１６７は面取り形状を有する。具体的に、離脱防止部１６７はランプチューブ１６１から遠くなるほど第１断面積が漸進的に増加するように形成される。
【００４１】
従って、外部衝撃に対してランプとランプホルダーと間の結合の信頼性が向上される。
【００４２】
図１〜図４において、離脱防止部６７、１６７が球形状または面取り形状を有することを示したが、他の実施例で離脱防止部６７、１６７の形状は六面体形状など多様な形状に変更することが可能である。
【００４３】
ランプホルダー
図５は本発明の第３実施例によるランプホルダーの斜視図である。
【００４４】
図５に示すように、ランプホルダー２００は、ランプ２３０に電源電圧を提供する電源電圧提供ワイヤー２７０とランプ２３０とを電気的に接続する。ランプ２３０は冷陰極蛍光ランプである。これとは異なり、ランプ２３０は外部電極蛍光ランプとすることができる。ランプホルダー２００はホルダー本体２１０及び電源印加部材２５０を含む。
【００４５】
ホルダー本体２１０は絶縁性の優れた材質からなることが望ましい。ホルダー本体２１０は底部２１１、ランプ支持部２１３及びワイヤーガイド部２１５を含む。
【００４６】
ランプ支持部２１３は底部２１１から突出し、ランプ支持部２１３の上部にはランプチューブ２３１の端部が配置される溝が形成される。
【００４７】
ランプガイド部２１５は、ランプ支持部２１３と対向するように底部２１１から突出する。図５で、ワイヤーガイド部２１５は第１〜第３突出部（２１６ａ、２１６ｂ、２１６ｃ）を含む。第２及び第３突出部（２１６ｂ、２１６ｃ ）は第１突出部（２１６ａ ）とランプ支持部２１３との間に配置される。電源電圧提供ワイヤー２７０は第１突出部（２１６ａ と第２及び第３突出部（２１６ｂ、２１６ｃ ）との間に配置される。
【００４８】
電源電圧提供ワイヤー２７０及びリード線２３９は電源印加部材２５０にそれぞれ挿入され、ホルダー本体２１０に固定される。電源印加部材２５０はホルダー本体２１０に固定されており、電源電圧提供ワイヤー２７０及びリード線２３９を固定するための第１クリップ部２５１及び第２クリップ部２５５を含む。
【００４９】
第１クリップ部２５１は電源電圧提供ワイヤー２７０と圧接接続される。電源電圧提供ワイヤー２７０は導線、被覆層及び導電性ビーズを含む。被覆層は導線を覆い、この導線を外部と電気的に絶縁する。導電性ビーズは、被覆層に埋設される。電源電圧提供ワイヤー２７０を第１クリップ２５１により圧着する場合、導線と第１クリップ２５１とは被覆層に埋設された導電性ビーズによって相互電気的に接続される。この際、電源電圧提供ワイヤーガイド部２１５が第１クリップ２５１を支持し、第１クリップ部２５１の電源電圧提供ワイヤー２７０を圧着する力が低下することを防止する。
【００５０】
第２クリップ２５５にはランプ２３０のリード線２３９が挿入される。第２クリップ部２５５は第１クリップ部２５１から延長され第１クリップ部２５１と一体となる。
【００５１】
従って、電源電圧提供ワイヤーとランプ電極をそれぞれ電源印加部材に挿入することが容易になり、ランプとランプホルダー及びランプホルダーと電源電圧提供ワイヤーと間の組立性を向上することができる。
【００５２】
図６は本発明の第４実施例によるランプホルダーの斜視図である。
【００５３】
図６に示すように、ランプホルダー３００はホルダー本体３１０、電源印加部材及び導電性接着部材３５０を含む。
【００５４】
ホルダー本体３１０の上面にはランプ支持溝３１１が形成され、ランプ支持溝３１１の近くに収納空間が形成される。電源印加部材は収納空間に配置される。電源印加部材は接続端子及び電源印加端子を含む。
【００５５】
接続端子はホルダー本体の下部に露出し、電源印加端子が接続端子から延長され収納空間の上部に露出している。この際、電源印加端子は２つの電源印加端子に分岐し、ランプ支持溝３１１に配置されたランプ３０３のリード線３０６の両側に上面と並んでそれぞれ配置される。
【００５６】
導電性接着部材３５０は、例えば、アルミニウム接着テープ３５０である。導電性接着部材は電源印加端子部及びリード線３０６をカバーし、電源印加部材とリード線３０６とを電気的に接続する。
【００５７】
従って、ランプに衝撃が加えられてもランプのリード線が損傷することを防止する。
【００５８】
図７は本発明の第５実施例によるランプホルダーの斜視図である。図８は図７に示されたランプホルダーの分解斜視図である。
【００５９】
図７及び図８に示すように、ランプホルダー４００は表示装置において背面光を提供する直下型バックライトアセンブリに採用される。ランプホルダー４００はホルダー本体４１０、電源印加部材４３０及び導電性接着部材４５０を含む。
【００６０】
ホルダー本体４１０は射出成形方式で製造されたモールド物で、ホルダー本体４１０は略六面体形状を有する。ホルダー本体４１０は上面、上面と対向する下面及び上面と下面とを連結する側面を含む。
【００６１】
ホルダー本体４１０の上部、具体的に、上面にランプ支持溝４１１が形成される。ランプ支持溝４１１はランプ４０３の形状に対応して丸みを帯びるように形成される。ランプ支持溝４１１の近くの上面には所定の深さを有する収納空間４１２が形成される。収納空間４１２両側の側面には収納空間４１２と連通された締結溝４１３がそれぞれ形成される。ホルダー本体４１０の下部には結合突起４１５が形成される。
【００６２】
図９は図７に示されたランプホルダーをII-II'線に沿って切断した断面図である。
【００６３】
図７〜図９に示すように、電源印加部材４３０は導電性を有するメタルからなる。電源印加部材４３０は収納空間４１２に配置され、ホルダー本体４１０に固定される。電源印加部材４３０は電源印加端子４３１及び接続端子４３５を含む。電源印加端子４３１はランプ支持溝４１１に配置されたランプのリード線４０６の両側に分岐する２つの電源印加端子部４３２、４３３を含む。接続端子４３５はホルダー本体４１０の下面に露出され下面に沿って折曲される。
【００６４】
導電性接着部材４５０はリード線４０６と電源印加端子部４３２、４３３とを電気的に接続する。導電性接着部材４５０は電源印加端子部４３２、４３３及びリード線４０６をカバーするように配置される。導電性接着部材４５０は優れた電気導電性及びフレキシブルな特性を有する材質からなり、例えば、アルミニウム接着テープであってもよい。
【００６５】
ランプホルダー４００はホルダーキャップ４７０をさらに含む。ホルダーキャップ４７０は互いに対称を成す第１及び第２固定部４７１、４７３を含む。第１及び第２固定部４７１、４７３の上端は互いに連結され、第１及び第２固定部４７１、４７３の下端は所定間隔離間している。第１及び第２固定部４７１、４７３の下端にはそれぞれ締結フック４７２、４７４が形成される。
【００６６】
第１及び第２固定部４７１、４７３が収納空間４１２に挿入される場合、締結フック４７２、４７４はホルダー本体４１０に形成された締結溝４１３にそれぞれ挿入される。この際、ホルダーキャップ４７０は、締結フック４７２、４７４が締結ホール４１３に挿入されたまま、上下方向にスライディング可能であるように収納空間４１２に挿入される。
【００６７】
ホルダーキャップ４７０を収納空間４１２に挿入することにより、ホルダーキャップは導電性接着部材４５０を加圧して電源印加端子部４３２、４３３及びリード線４０６に接触させる。その結果、電源印加部材４３０とリード線４０６とは電気的に接続される。
【００６８】
従って、導電性接着部材４５０に付着されたリード線４０６に外部衝撃が加えられ、リード線４０６が流動してもランプ４０３及びリード線４０６の損傷なしに電源印加端子４３１とリード線４０６との電気的接続が保持される。
【００６９】
図１０は本発明の第６実施例によるランプホルダーの分解斜視図である。
【００７０】
図１０に示すように、ランプホルダー５００はホルダー本体５１０、電源印加部材５３０及びホルダーキャップ５７０を含む。
【００７１】
ホルダー本体５１０はランプホルダー５００の本体で六面体形状を有する。ホルダー本体５１０は上面、上面と対向する下面及び上面と下面とを連結する側面を含む。
【００７２】
上面にはランプ５０３の形状に対応する丸みを帯びたランプ支持溝５１１が形成される。ランプ支持溝５１１の近く上面には所定の深さを有する収納空間が形成される。側面はランプ支持溝５１１の長さ方向に並んで配置される。側面には収納空間に連通する締結溝５１３がそれぞれ形成される。締結溝５１３は上面から下面に向かう方向に延長された形状を有する。
【００７３】
図１１は図１０に示されたランプホルダーをIII-III'線に沿って切断した断面図である。図１２は図１０に示されたランプホルダーIV-IV'線に沿って切断した断面図である。
【００７４】
図１１及び図１２に示すように、電源印加部材５３０は収納空間に配置され、収納空間の基底面にそれぞれ固定された第１及び第２接続端子５３１、５３５を含む。
【００７５】
第１及び第２接続端子５３１、５３５の下端は収納空間の基底面に固定され、第１及び第２接続端子５３１、５３５の上端は上面の上に延長される。第１及び第２接続端子５３１、５３５の上端はそれぞれ２つの端子部に分割される。第１及び第２接続端子５３１、５３５の上端は下面に向かって折曲されリード線の両側にそれぞれ接触する。
【００７６】
ホルダーキャップ５７０は互いに対向し収納空間に挿入される第１及び第２固定部５７１、５７３を含む。第１及び第２固定部５７１、５７３の下端は収納空間に挿入され、第１及び第２固定部５７１、５７３は収納空間の外部に突出する。第１及び第２固定部５７１、５７３の上端は互いに連結され、第１及び第２固定部５７１、５７３の下端は第１間隔分だけ離間している。第１及び第２固定部５７１、５７３の上端と下端との間には、互いに向き合う第１及び第２傾斜面５７５、５７６がそれぞれ形成される。第１及び第２傾斜面５７５、５７６は、上部から下部に移動するほど相互間の離間距離が増加するように形成される。
【００７７】
第１及び第２固定部５７１、５７３の下端には、締結ホール５１３にそれぞれ挿入される第１及び第２締結フック５７２、５７４が形成される。第１及び第２締結フック５７２、５７４を締結ホール５１３にそれぞれ挿入することにより、第１及び第２傾斜面５７５、５７６は第１及び第２接続端子５３１、５３５の上端にそれぞれ接触する。ホルダーキャップ５７０がさらに下に移動することによって、第１及び第２接続端子５３１、５３５の上端は加圧され互いに近接する。その結果、第１及び第２接続端子５３１、５３５はリード線５０６に接触する。
【００７８】
一方、第１及び第２接続端子５３１、５３５の上端は、前述したように、それぞれ２つの端子部に分割される。その結果、第１及び第２接続端子５３１、５３５がリード線５０６を固定する力は弱められ、リード線５０６は第１及び第２接続端子５３１、５３５と接触されたまま若干の流動が可能である。
【００７９】
しかし、ホルダーキャップが第１及び第２接続端子５３１、５３５をリード線に接触させるので、リード線５０６と第１及び第２接続端子５３１、５３５間の電気的接続は信頼することができる状態に保持される。これとは異なり、第１及び第２接続端子５３１、５３５は３つ以上の端子部に分割することもできる。
【００８０】
図６〜図１２に示されたランプホルダーによると、ランプホルダーの導電性接着部材または２つ以上の端子部に分割された第１及び第２接続端子に起因したランプのリード線は、導電性接着部材または第１及び第２接続端子と電気的に接続されたまま、移動することができる。従って、ランプ及びランプホルダーに加えられた外部衝撃によるランプの損傷を防止できる。
【００８１】
電源供給モジュール
図１３は本発明の第７実施例による電源供給モジュールの斜視図である。図１４は図１３に示された電源供給モジュールの背面斜視図である。図１５は図１３に示された電源供給モジュールの分解斜視図である。
【００８２】
図１３〜図１５に示すように、電源供給モジュール６００は電源供給基板６１０及びランプホルダー６５０を含む。
【００８３】
電源供給基板６１０はプレート形状を有し、上面及び上面に対向する背面を含む。電源供給基板６１０の背面には、図１４に示されたように、ランプホルダー６５０に電源電圧をそれぞれ印加する接続部６１５が形成される。接続部６１５は、例えば、電源供給基板６１０の表面に一部が露出された導電配線である。
【００８４】
電源供給基板６１０にはランプホルダー６５０がそれぞれ固定される固定部がさらに形成される。本実施例において、固定部は固定ホール６１１である。固定ホール６１１は電源供給基板６１０の長さ方向に沿って形成される。
【００８５】
電源供給モジュールは電源供給素子６７０をさらに含む。電源供給素子６７０は電源供給基板６１０の背面に配置され、接続部６１５に電源電圧を出力する。電源供給素子６７０は外部から供給される第１電源電圧を第２電源電圧に変更して出力するインバーターである。前述したインバーターは外部から供給されるＡＣ電源をＤＣ電源に変更し、変更されたＤＣ電源をランプに必要なレベルに昇圧または減圧させ、昇圧または減圧されたＤＣ電源を再度ＡＣ電源に変更する役割を遂行する。
【００８６】
図１６は図１３に示されたランプホルダーの斜視図である。図１７は図１３に示された電源供給ユニットをV-V'線に沿って切断した断面図である。
【００８７】
図１６及び図１７に示すように、ランプホルダー６５０はランプ６０１を電源供給基板６１０上に固定し、ランプ６０１に電源電圧を印加する。ランプホルダー６５０はホルダー本体６３０及び電源印加部材６４０を含む。
【００８８】
ホルダー本体６３０は固定ホール６１１に着脱可能に挿入される。ホルダー本体６５０は電源供給基板６１０の上面から背面に向かう方向またはその反対方向から固定ホール６１１に挿入される。
【００８９】
ホルダー本体６３０は絶縁性の優れた材質で構成することが望ましい。ホルダー本体６３０は底部６３１、ランプ支持部６３５を含む。ランプ支持部６３５は底部６３１から突出しており、ランプ支持部６３５の上部にはランプチューブの端部が配置される溝が形成される。
【００９０】
電源印加部材６４０はランプ６０１のリード線６０５と電源供給基板６１０の背面に形成された接続部６１５とを電気的に接続する。電源印加部材６４０はホルダー本体６３０を貫通するように配置され、接続端子６４１及び電源印加端子６４５を含む。
【００９１】
接続端子６４１はホルダー本体６３０の下部に露出し、電源供給基板６１０の背面に沿って延長され、接続部６１５に接触する。他の実施例において、接続端子６４１は接続部６１５に半田付けすることができる。
【００９２】
電源印加端子６４５は接続端子６４１から延長され、ホルダー本体６１０の上部に突出する。電源印加端子６４５の形状は図１０〜図１２に示された第１及び第２接続端子５３１、５３５の上端の形状と同一である。リード線６０５は電源印加端子６４５に挿入される。
【００９３】
図１８は本発明の第８実施例による電源供給モジュールの部分断面図である。
【００９４】
図１８に示すように、電源供給モジュール７００は電源供給基板７１０、ランプホルダー７５０及び電源供給素子７７０を含む。電源供給基板は上面及び前記上面に対向する背面を含む。
【００９５】
電源供給モジュール７００は、上面に電源供給素子７７０が配置され、接続部７１５が同じく上面に形成されており、さらに接続端子７４１がホルダー本体７３０の側面に突出して接続部７１５に接触する点を除いては、図１３〜図１７に示された電源供給モジュール６００と実質的に同一である。
【００９６】
図１９は本発明の第９実施例による電源供給モジュールの部分断面図である。
【００９７】
図１９に示すように、電源供給モジュール８００は電源供給基板８１０、電源印加部材８４０及び電源供給素子８７０を含む。電源供給モジュール８００は電源供給基板８１０にランプホルダーを代替するランプホルダー部８３０が形成された点を除いては図１３〜図１７に示された電源供給モジュール７００と実質的に同一である。
【００９８】
従って、電源供給基板８１０はプレート形状を有し、上面及び上面と対向する背面を含む。背面には電源供給素子８７０が実装され、電源供給素子８７０と電気的に接続された接続部８１５が形成される。
【００９９】
電源供給基板８１０の上面一側端部位には、電源供給基板８１０の長さ方向に沿って複数個のランプホルダー部８３０が突出される。ランプホルダー部８３０は電源供給基板８１０に一体に形成される。ランプホルダー部８３０にはランプ８０１の端部が固定されるランプ支持溝８３５が形成される。
【０１００】
電源印加部材８４０は図１３〜図１７に示された電源印加部材７４０と実質的に同一である。従って、電源印加部材８４０はランプホルダー部８３０を貫通し、接続端子８４１及び電源印加端子８４５を含む。接続端子８４１は背面に沿って延長され接続部８１５に接触する。
【０１０１】
図２０は本発明の第１０実施例による電源供給モジュールの斜視図である。
【０１０２】
図２０に示すように、電源供給モジュール９００は電源供給基板９１０、ランプホルダー９５０及び電源供給素子を含む。電源供給モジュール９００はランプホルダー９５０の形状を除いては、図１３〜図１７に示された電源供給モジュール６００と実質的に同一である。
【０１０３】
ランプホルダー９５０はホルダー本体９３０及び電源印加部材９４０を含む。ホルダー本体９３０は図１６に示されたホルダー本体６３０と同一である。
【０１０４】
電源印加部材９４０は接続端子及び電源印加端子を含む。接続端子はホルダー本体９３０の下部に露出しており、電源供給基板９１０の背面に形成された接続部に接触する。電源印加端子は接続端子から延長され絶縁ホルダー本体９３０の上部に露出する。電源印加端子は一側が開口したリング形状を有する。
【０１０５】
電源印加端子は外部電極ランプ９０１の電極部９０５を固定し、電極部９０５の電源電圧を印加する。
【０１０６】
図１３〜図２０では、ランプホルダーが１個のランプを固定させる実施例を説明したが、他の実施例において、電源供給モジュールは複数個のランプホルダーが一定の間隔で連続的に結合されたランプホルダーユニットを含むように構成できる。
【０１０７】
図２１は本発明の第１１実施例による電源供給モジュールの斜視図である。図２２は図２１に示された電源供給モジュールの分解斜視図である。図２３は図２２に示されたランプホルダーの斜視図である。
【０１０８】
図２１及び図２２に示すように、電源供給モジュール１０００はランプホルダー１０３０及び電源供給基板１０４０を含む。
【０１０９】
ランプホルダー１０３０は、後述する電源供給基板１０４０と電気的に接続されランプに電源電圧を印加する。ランプホルダー１０３０はランプを電源基板１０４０上に固定させる。ランプホルダー１０３０はホルダー本体１０３１及び電源印加部材１０３３を含む。
【０１１０】
ホルダー本体１０３１の上部にはランプ支持溝１０３２が形成され、ホルダー本体１０３１の下部には締結溝が形成される。ホルダー本体１０３１は絶縁性の優れた材質で構成することが望ましい。ホルダー本体１０３１の側面には固定フック１０３６が形成される。
【０１１１】
電源印加部材１０３３は、ランプ支持溝１０３２に配置されたランプに電源電圧を印加する。電源印加部材１０３３は、ランプ本体１０３１の上部から下部に貫通するように配置される。電源印加部材１０３３は接続端子及び電源印加端子を含む。
【０１１２】
接続端子はホルダー本体１０３１の下部に形成された締結溝の内側に突出している。電源印加端子は接続端子から延長されホルダー本体１０３１の上部に突出する。電源印加端子はランプのリード線を支持できるように一側に開口したリング形状を有する。
【０１１３】
図２４は図２２に電源供給基板の一部領域の斜視図である。
【０１１４】
図２４に示すように、電源供給基板１０４０は電源電圧を電源印加部材１０３３に出力する。電源供給基板１０４０は絶縁基板、電源供給素子及び導電配線を含む。
【０１１５】
絶縁基板は上面及び上面に対向する背面を含む。電源供給素子は絶縁基板の背面に実装される。電源供給素子は、外部から供給されるソース電源電圧を、ランプを駆動するための電源電圧に変更して出力するインバータである。インバータは外部から供給されるＡＣ電源をＤＣ電源に変更し、変更されたＤＣ電源をランプに必要なレベルに昇圧または減圧させ、昇圧または減圧されたＤＣ電源を再度ＡＣ電源に変更する役割を遂行する。他の実施例において、電源供給基板１０４０はインバータから出力され複数個のランプに提供される電源電圧を均一にするバランスボードであり得る。
【０１１６】
導電配線は電源供給素子と電気的に接続され、一部が絶縁基板の上面に露出し、電源印加部材１０３３の接続端子と接触する接続部１０４４を形成する。
【０１１７】
図２５及び図２６は図２２に示された電源供給モジュールVI-VI'線に沿って切断した断面図である。具体的に、図２５はランプホルダー１０３０と電源供給基板１０４０とが分離された状態を示し、図２６はランプホルダー１０３０と電源供給基板１０４０とが結合された状態を示す。
【０１１８】
図２４〜図２６に示すように、絶縁基板の上面には複数個のランプホルダー１０３０がそれぞれ固定される固定部１０４１がさらに形成される。固定部１０４１は絶縁基板に一体に形成される。他の実施例において、固定部１０４１は絶縁基板に締結することができる。ホルダー本体１０３１は、固定部１０４１に装着及び脱着可能な方式で結合される。固定部１０４１は第１突出部１０４３及び第２突出部１０４５を含む。
【０１１９】
第１突出部１０４３は、絶縁基板の上面から第１高さを有するように突出する。第２突出部１０４５は、第１突出部１０４３の周辺部から第１高さより小さい第２高さを有するように突出する。第１突出部１０４３は、ホルダー本体１０３１に形成された締結溝１０３７に挿入される。一方、第２突出部１０４５はホルダー本体１０３１の下部の外側面の一部領域をカバーする。
【０１２０】
この際、側面に接続部１０４４が露出した状態で形成されている第１突出部１０４３を、締結溝１０３７に挿入することにより、締結溝１０３７の内側面に突出された接続端子１０３８は接続部１０４４と接触することとなる。これにより、電源供給素子が出力する電源電圧はランプ１０３３に印加される。
【０１２１】
図２５及び図２６に示すように、電源供給基板１０４０は連結部材１０２０に固定された複数個のランプホルダー１０３０と結合される。連結部材１０２０は、例えば、ランプホルダー１０３０が配置される収納容器の底板とすることができる。連結部材１０２０は一方向に伸張されたプレート形状を有する。連結部材１０２０は電気的に絶縁材質で構成することが望ましい。連結部材１０２０にはランプホルダー１０３０がそれぞれ挿入される複数個の開口が形成される。この開口は連結部材１０２０の長さ方向に沿って一列に配置される。連結部材１０２０と電源供給基板１０４０はねじやボルト（スクリュー）により締結することができる。
【０１２２】
一方、ホルダー本体１０３１に形成された固定フック１０３６は、図２６に示されたように、連結部材１０２０の背面に係合し、それにより、固定フック１０３６はホルダー本体１０３１が開口に挿入される方向と反対の方向に離脱することを防止する。
【０１２３】
図１３〜図２６に示された電源供給モジュールによると、ランプのリード線はランプホルダーの電源印加端子に装着及び脱着可能な方式で結合され、ランプホルダーの接続端子は電源供給基板に形成された接続部に直接接触する。従って、半田付け工程を省略することができ電気的接続部位の信頼性が向上し、電源供給モジュールの組立性が向上される。
【０１２４】
図２７は本発明の第１２実施例による電源供給モジュールの斜視図である。図２８は図２７に示された電源供給モジュールの分解斜視図である。
【０１２５】
図２７及び図２８に示すように、電源供給モジュール１１００は複数個のランプホルダー１１５０及び電源供給基板１１６０を含む。
【０１２６】
ランプホルダー１１５０はホルダー本体及び電源印加部材を含む。
【０１２７】
ホルダー本体は図１６及び図１７に示されたホルダー本体６３０と実質的に同一である。
【０１２８】
電源印加部材はホルダー本体の上部からホルダー本体の下部まで貫通するように配置される。電源印加部材は接続端子及び電源印加端子を含む。接続端子はホルダー本体の下部に露出しており、電源印加端子は接続端子から延長されホルダー本体の上部に露出する。
【０１２９】
接続端子は後述する電源供給基板１１６０から電源電圧の印加を受け、電源印加端子は図２３に示された電源印加端子と同一の形状を有する。
【０１３０】
本実施形態例において、複数個のランプホルダー１１５０と電源供給基板１１６０との間の組立を容易にするために、電源供給モジュール１１００が連結プレート１１４０をさらに含む構成となっている。
【０１３１】
連結プレート１１４０は一方向に伸張されたプレート形状を有する。プレート１１４０は電気絶縁性を有する材質で構成することが望ましい。連結プレート１１４０にはホルダー本体がそれぞれ挿入される複数個の固定ホール１１４１が形成される。固定ホール１１４１は連結プレート１１４０の長さ方向に沿って一列に配置される。連結プレート１１４０には連結プレート１１４０と後述する電源供給基板１１６０の締結のための雌ネジ部が形成される。
【０１３２】
図２９は図２８に示された電源供給モジュールを他の角度から観察した分解斜視図である。図３０は図２８に示された電源供給モジュールVII-VII'線に沿って切断した断面図である。
【０１３３】
図２８〜図３０に示すように、電源供給基板１１６０は連結プレート１１４０と結合し、電源供給基板１１６０には電源印加部材１１５５と接触する接続部１１６６が形成される。具体的に、電源供給基板１１６０は絶縁基板１１６１、電源供給素子及び導電配線１１６５を含む。
【０１３４】
絶縁基板１１６１は連結プレート１１４０と結合する。絶縁基板１１６１は連結プレート１１４０の幅より大きい幅を有し、連結プレート１１４０の長さと類似する長さを有する。連結プレート１１４０が配置される面を絶縁基板１１６１の上面として定義し、上面と対向する面を絶縁基板１１６１の背面として定義する。絶縁基板１１６１には連結プレート１１４０に形成された雌ネジ部に対応して、絶縁基板１１６１の背面には上面まで貫通する雌ネジ部が形成される。
【０１３５】
電源供給素子は絶縁基板１１６１の背面に配置され電源電圧を出力する。電源供給素子の個数はランプホルダー１１５０の個数によって変更することができる。例えば、１つの電源供給素子がランプホルダー１１５０全部に電源電圧を印加するか、ランプホルダー１１５０を複数個含むグループにグルーピングし、ランプホルダー１１５０のグループ毎に電源供給素子１１６３を配置することができる。
【０１３６】
導電配線１１６５は絶縁基板１１６１の内部に配置され、外部から電気的に絶縁される。連結プレート１１４０に形成された固定ホール１１４１に対応して、絶縁基板１１６１の上面の一部が除去される。それにより、導電配線１１６５の一部が絶縁基板１１６１の上面に露出され複数個の接続部１１６６が形成される。
【０１３７】
図３１は図２８に示された電源供給モジュールVIII-VIII'線に沿って切断した断面図である。
【０１３８】
図３０及び図３１に示すように、ランプホルダー１１５０はランプ１１２０の端部を電源供給モジュール１１００上に固定させる。ランプ１１２０が図３１に示すように冷陰極蛍光ランプＣＣＦＬである場合、ランプ１１２０の電極部１１２５は放電電極及びリード線を含む。
【０１３９】
放電電極はランプチューブ１１２１の内部に配置され、リード線は放電電極からランプチューブ１１２１の外部に突出している。リード線はホルダー本体１１５１から突出した電源印加端子１１５７に挿入される。
【０１４０】
本実施例において、連結プレート１１４０と電源供給基板１１６０はスクリュー１１７０によって締結される。それにより、連結プレート１１４０の背面に露出した接続端子１１５６は接続部１１６６に直接接触する。また、スクリュー１１７０を連結プレート１１４０及び電源供給基板１１６０から脱着することにより、連結プレート１１４０と電源供給基板１１６０は相互分離可能となっている。また、ランプホルダー１１５０は連結プレート１１４０に形成された固定ホール１１４１から脱着可能であるように結合する。
【０１４１】
図３２は本発明の第１３実施例による電源供給モジュールの分解斜視図である。図３３は図３２に示されたランプホルダーの斜視図である。
【０１４２】
図３２及び図３３に示すように、電源供給モジュール１２００は電源供給基板１２１０、連結プレート１２５０及びランプホルダー１２３０を含む。電源供給モジュール１２００はランプホルダー１２３０を除いては図２７〜図３１に示された電源供給モジュール１１００と実質的に同一である。
【０１４３】
ランプホルダー１２３０はホルダー本体１２３１及び電源印加部材を含む。ランプホルダー１２３０は電源印加部材を除いては図２７〜図３１に示されたランプホルダー１１５０と実質的に同一である。
【０１４４】
電源印加部材は接続端子１２３６及び電源印加端子を含む。電源印加部材は接続端子１２３６の形状を除いては図３０及び図３１に示された電源印加部材１１５５と実質的に同一である。
【０１４５】
接続端子１２３６はスプリング形態で構成され、ホルダー本体１２３１の下部に突出するように取り付けられる。本実施例において、接続端子１２３６は板スプリング形状を有する。具体的に、接続端子１２３６はホルダー本体１２３１の下面と所定の傾斜角を成し延長される。
【０１４６】
図３４は図３２に示された電源供給モジュールをIX-IX'線に沿って切断した断面図である。
【０１４７】
図３２〜図３４に示すように、連結プレート１２５０と絶縁基板１２１１とを相互に結合することにより、電源印加部材１２３５の接続端子１２３６は絶縁基板１２１１に形成された接続部１２１６に直接接触し、ホルダー本体１２３１の下面に圧着される。また、連結プレート１２５０と絶縁基板１２１１とを分離すると、接続端子１２３６は弾性力によって再度ホルダー本体１２３１の下面１２３２から離間して本来の状態に回復する。
【０１４８】
図３５は本発明が第１４実施例による電源供給モジュールが含みランプホルダーの斜視図である。
【０１４９】
図３５に示すように、電源供給モジュール１３００は電源供給基板、連結プレート及びランプホルダー１３３０を含む。電源供給モジュール１３００はランプホルダー１３３０を除いては図２７〜図３１に示された電源供給モジュール１１００と実質的に同一である。
【０１５０】
ランプホルダー１３３０はホルダー本体１３３１及び電源印加部材を含む。ランプホルダー１３３０は、電源印加部材を除いては図２７〜図３１に示されたランプホルダー１１５０と実質的に同一である。
【０１５１】
電源印加部材は、接続端子１３３６及び電源印加端子を含む。電源印加部材は、接続端子１３３６の形状を除いては図３０及び図３１に示された電源印加端子１１５５と実質的に同一である。
【０１５２】
接続端子１３３６は、ホルダー本体１３３１の下部に螺旋状のスプリング形状を有するように突出する。本実施例において、接続端子１３３６はコイルスプリング形状を有する。
【０１５３】
図２７〜図３５ではランプホルダーが連結プレートに形成された固定ホールに挿入されることを示したが、それとは異なり、連結プレート（図示せず）は連結プレートの上面及び下面に突出される導電部材を含み、ランプホルダーは連結プレートの上面に露出した導電部材と電気的に接続するように、連結プレート上に実装される。
【０１５４】
図３６は本発明の第１５実施例による電源供給モジュールの斜視図である。図３７は図３６に示された電源供給モジュールの分解斜視図である。
【０１５５】
図３６及び図３７に示すように、電源供給モジュール１４００は電源供給基板１４６０、連結プレート１４４０、ランプホルダー１４５０及び締結部材１４７０を含む。電源供給モジュール１４００は締結部材１４７０をさらに含み、連結プレート１４４０及び電源供給基板１４６０に締結部材１４７０が挿入される溝をさらに形成したことを除いては、図２７〜図３１に示された電源供給モジュール１１００と実質的に同一である。
【０１５６】
連結プレート１４４０には複数個の第１溝１４４３が形成される。第１溝１４４３は連結プレート１４４０に形成された固定ホール１４４１の間に、連結プレート１４４０の上面から所定の深さに形成される。
【０１５７】
電源供給基板１４６０は絶縁基板１４６１、電源供給素子及び導電配線を含む。電源供給基板１４６０は絶縁基板１４６１を除いては図２７〜図３１に示された絶縁基板１１６０と実質的に同一である。
【０１５８】
絶縁基板１４６１には複数個の第２溝１４６２が形成される。第２溝１４６２は第１溝１４４３に対応し、絶縁基板１４６１の背面から所定の深さに形成される。
【０１５９】
締結部材１４７０は連結プレート１４４０と絶縁基板１４６１とを結合させる。締結部材１４７０は、図３６及び図３７に示されたように、略‘Ｃ’字形状を有する。締結部材１４７０は第１溝１４４３の基底部及び第２溝１４６２の基底部を加圧し、連結プレート１４４０と絶縁基板１４６１とを相互密着させる。それにより、電源印加部材の接続端子は絶縁基板１４６１の上面に形成された接続部１４６６に接触する。
【０１６０】
それとは異なり、締結部材１４７０は接触テープであってもよい。この場合、接触テープは絶縁基板１４６１と連結プレート１４４０との間に介在し、絶縁基板１４６１と連結プレート１４４０とを相互に接着する。
【０１６１】
図３８は本発明の第１６実施例による電源供給モジュールの分解斜視図である。図３９は図３８に示された電源供給モジュールをX-X'線に沿って切断した断面図である。
【０１６２】
図３８及び図３９に示すように、電源供給モジュール１５００は電源供給基板１５６０、連結プレート１５４０及びランプホルダー１５５０を含む。電源供給モジュール１５００は連結プレート１５４０及び電源供給基板１５６０を除いては図２７〜図３１に示された電源供給モジュール１１００と実質的に同一である。
【０１６３】
連結プレート１５４０には図２７及び図２８に示された雌ネジ部が除去され、複数個の締結突起１５４３が形成されたことを除いては図２７及び図２８に示された連結プレート１１４０と実質的に同一である。締結突起１５４３は連結プレート１５４０の幅方向エッジに対称的に複数個が形成される。
【０１６４】
電源供給基板１５６０は絶縁基板１５６１、電源供給素子及び導電配線を含む。電源供給基板１５６０は絶縁基板１５６１を除いては図２７及び図２８に示された絶縁基板１１６１と実質的に同一である。
【０１６５】
絶縁基板１５６１には図２８に示された雌ネジ部が除去され、複数個の締結ホール１５６２が形成されたのを除いては図２７〜図３１に示された絶縁基板１１６１と実質的に同一である。
【０１６６】
締結ホール１５０２は連結プレート１５４０の一側エッジに形成された締結突起１５４３に対応して絶縁基板１５６１に形成される。また、絶縁基板１５６１のエッジには絶縁基板１５６１の下面から所定の深さに複数個の溝１５６３が形成される。
【０１６７】
締結突起１５４３が締結ホール１５６２に挿入され、溝１５６３に係合することにより、連結プレート１５４０と電源供給基板１５６０とが結合する。その結果、電源印加部材の接続端子は絶縁基板１５６１の上面に露出された接続部１５６６に直接接触する。
【０１６８】
図４０は、本発明の第１７実施例による電源供給モジュールの分解斜視図である。図４１は図４０に示された電源供給モジュールをXI-XI'線に沿って切断した断面図である。
【０１６９】
図４０及び図４１に示すように、電源供給モジュール１６００はランプホルダー１６５０及び電源供給基板１６６０を含む。電源供給モジュール１６００は、連結プレートが除去された点と、ランプホルダー１６５０及び絶縁基板１６６１の形状を除いては、図２７〜図３１に示された電源供給モジュール１１００と実質的に同一である。
【０１７０】
ランプホルダー１６５０はホルダー本体１６５１及び電源印加部材１６５５を含む。ランプホルダー１６５０はホルダー本体１６５１を除いては図２７〜図３１に示されたランプホルダー１１５０と実質的に同一である。
【０１７１】
ホルダー本体１６５１は下部に形成された突起が除去され、締結フック１６５４が形成されたのを除いては図２７〜図３１に示されたホルダー本体１１５１と実質的に同一である。
【０１７２】
電源供給基板１６６０は絶縁基板１６６１、電源供給素子１６６３及び導電配線１６６５を含む。電源供給基板１６６０は絶縁基板１６６１の形状を除いては図２７〜図３１に示された絶縁基板１１６１と実質的に同一である。
【０１７３】
絶縁基板１６６１は雌ネジ部が除去され、締結フック１６５４が挿入される複数個の締結ホール１６６２が形成されたのを除いては図２７〜図３１に示された絶縁基板１１６１と実質的に同一である。締結ホールは絶縁基板１６６１に形成された接続部１６６６の周辺部に形成される。
【０１７４】
締結フック１６５４が締結ホール１６６２に挿入され、ランプホルダー１６５０は絶縁基板１６６１上に固定される。この際、ホルダー本体１６５１の下部から突出された電源印加部材１６５５の接続端子１６５６は絶縁基板１６６１に形成された接続部１６６６に直接接触される。その結果、電源供給基板１６６０はランプホルダー１６５０に固定されたランプに電源電圧を印加する。
【０１７５】
図２７〜図４１に示された電源供給モジュールによると、連結プレートと電源供給基板は締結部材によって相互結合される。従って、ランプホルダーからランプを分離しないで電源供給基板のみを電源供給モジュールから分離して再加工作業を遂行できる。
【０１７６】
バックライトアセンブリ
図４２は本発明の第１８実施例によるバックライトアセンブリの分解斜視図である。図４３は図４２に示されたバックライトアセンブリXII-XII'線に沿って切断した断面図である。
【０１７７】
図４２及び図４３に示すように、バックライトアセンブリ１８００は収納容器１７１０、複数個のランプ１７０５、第１ランプホルダー１７３０及び電源供給基板１７０１を含む。
【０１７８】
収納容器１７１０は底板１７１５、底板１７１５の周辺部に配置された側壁１７１３を含む。側壁１７１３近くの底板１７１５には側壁１７１３に沿って複数個の第１開口が形成される。ランプ１７０５は底板１７１５に配置される。
【０１７９】
電源供給基板１７０１はプレート形状を有し底板１７１５の背面に配置される。電源供給基板１７０１は背面と向き合う第１面及び第１面に対向する第２面を含む。電源供給基板１７０１には第１開口に対応する第１固定ホール１７０２が形成される。
【０１８０】
第１ランプホルダー１７３０は図２７〜図３１に示されたランプホルダー１１５０と実質的に同一である。第1ランプホルダー１７３０は第１固定ホールにそれぞれ挿入されたまま第１開口に挿入される。第１ランプホルダー１７３０が含まれる電源印加部材１７４５は接続端子１７４１及び電源印加端子を含み、接続端子１７４１は電源供給基板１７０１の第２面に形成された接続部に接触するか半田付けされる。
【０１８１】
ランプ１７０５は第１開口を通じて露出された第１ランプホルダー１７３０に固定される。ランプ１７０５の第１端部は第１ランプホルダー１７３０に形成されたランプ支持溝１７３５によってガイドされ、ランプ１７０５の第１リード線１７０６は電源印加端子に挿入される。
【０１８２】
それにより、電源供給基板１７０１はランプ１７０５に電源電圧を提供する。
【０１８３】
底板１７１５には第１開口に対向して第２開口１７１７がさらに形成される。
【０１８４】
バックライトアセンブリ１８００は第２ランプホルダー１７５７及びアース基板１７５５をさらに含む。
【０１８５】
第２ランプホルダー１７５７は第１ランプホルダー１７３０と実質的に同一である。
【０１８６】
アース基板１７５５はランプ１７０５の第２リード線をアースするアースユニットである。他の実施例においては、アース基板１７５５は電源供給基板１７０１と同様にランプ１７０５に電源電圧を提供する電源供給基板であってもよい。
【０１８７】
アース基板１７５５には第２ランプホルダー１７５７がそれぞれ挿入される第２固定ホール１７５１が形成される。第２ランプホルダー１７５７は第２固定ホール１７５１に挿入されたまま、第２開口１７１７に挿入される。第２ランプホルダー１７５７が含まれる接続端子１７４１はアース基板１７５５の背面に形成された接続部に接触するか半田付けされる。
【０１８８】
ランプ１７０５は第２開口１７１１を通じて露出された第２ランプホルダー１７５７に固定される。ランプ１７０５の第２端部は第２ランプホルダー１７５７に形成されたランプ支持溝によってガイドされ、ランプ１７０５の第２リード線は第２ランプホルダー１７５７の電源印加端子に挿入される。
【０１８９】
バックライトアセンブリ１８００は反射シート１７４０、第１サイドモールド１８１０、第２サイドモールド１８３０及び光学ユニット１８５０を含む。
【０１９０】
反射シート１７４０は底板１７１５に配置され、ランプ１７０５から出射した光を収納容器１７１０の上部に反射する。反射シート１７４０は収納容器１７１０の側壁１７１３に沿って側壁１７１３の上部まで延長される。反射シート１７４０には側壁１７１３の上部に形成された突起１７１９が挿入されるホール１７４１が形成される。
【０１９１】
第１サイドモールド１８１０は第１ランプホルダー１７３０をカバーするように底板１７１５に配置される。第１サイドモールド１８１０は側壁１７１３に沿ってランプ１７０５と略垂直に延長される。第１サイドモールド１８１０は底板１７１５に接触する２つの支持壁と支持壁を連結する上部壁を含む。上部壁には段差部が形成される。支持壁のうち側壁１７１３と離間した支持壁にはランプ１７０５との干渉を防止するために溝が形成される。
【０１９２】
第２サイドモールド１８３０は第２ランプホルダー１７５７をカバーするように底板１７１５に配置される。第２サイドモールド１８３０は第１サイドモールド１８１０と実質的に同一の形状を有する。
【０１９３】
光学ユニット１８５０はランプ１７０５から出射した光の光学特性、例えば、輝度均一性及び正面輝度を向上させ上部に出射する。光学ユニット１８５０は拡散板１８５１及び集光シート１８５３、１８５５を含む。
【０１９４】
拡散板１８５１はランプ１７０５から出射した光を拡散させ、輝度均一性のより向上された光を出射する。拡散板１８５１は第１及び第２サイドモールド１８１０の上部壁に形成された段差部に配置される。集光シート１８５３、１８５５は互いに異なる方向に、望ましくは、互いに垂直を成す方向に、拡散板１８５１からの出射光を集光してバックライトアセンブリ１８００の正面輝度を向上させる。
【０１９５】
図４４は本発明の第１９実施例によるバックライトアセンブリの断面図である。
【０１９６】
図４４に示すように、バックライトアセンブリ１９００は収納容器１９１０、ランプホルダー１９３０、電源供給基板１９４０及びランプ１９５５を含む。
【０１９７】
収納容器１９１０は底板１９１１及び側壁１９１７、１９１９１を含む。底板１９１１にはそれぞれ複数個の開口が形成される。
【０１９８】
ランプホルダー１９３０及び電源供給基板１９４０は図２１〜図２６に示されたランプホルダー１０３０及び電源供給基板１０４０と実質的に同一である。
【０１９９】
従って、電源供給基板１９４０の上面にはランプホルダー１９３０がそれぞれ固定される固定部１９４１が形成される。固定部１９４１は第１突出部１９４３及び第２突出部１９４５を含み、接続部は第１突出部１９４３の表面から突出する。
【０２００】
ランプホルダー１９３０はホルダー本体及び電源印加部材を含む。ホルダー本体の下部には第１突出部１９４３が挿入される締結溝が形成され、ホルダー本体の側面には固定フック１９３６が形成される。
【０２０１】
電源印加部材は接続端子及び電源印加端子を含む。接続端子は締結溝の内側に突出して接続部に直接接触し、電源印加端子はホルダー本体の上部に突出する。ランプホルダー１９３０は固定部１９４１に挿入されたまま底板に形成された開口にそれぞれ挿入される。
【０２０２】
ランプ１９５５は底板上に配置され、ランプホルダー１９３０に固定される。ランプ１９５５の端部はホルダー本体に形成されたランプ支持溝によってガイドされ、ランプ１９５５のリード線１９５７は電源印加端子に挿入される。
【０２０３】
それにより、電源供給基板１９４０はランプ１９５５に電源電圧を提供する。
【０２０４】
バックライトアセンブリ１９００は光学ユニット１９６０をさらに含む。光学ユニット１９６０は図４２及び図４３に示された光学ユニット１８５０と実質的に同一である。
【０２０５】
図４５は本発明の第２０実施例によるバックライトアセンブリの分解斜視図である。図４６は図４５に示されたバックライトアセンブリをXIII-XIII'線に沿って切断した断面図である。
【０２０６】
図４５及び図４６に示すように、バックライトアセンブリ２０００は収納容器２０１０、複数個のランプ２０２０、複数個のランプホルダー２０５０、連結プレート２０４０及び電源供給基板２０６０を含む。
【０２０７】
収納容器２０１０は底板２０１１に固定突出２０１２がさらに形成された点を除いては図４２及び図４３に示された収納容器１７１０と実質的に同一である。
【０２０８】
ランプ２０２０はランプチューブの形状を除いては図４２及び図４３に示されたランプ１７０５と実質的に同一である。ランプチューブは略‘Ｕ’字形状を有する。それにより、ランプチューブの端部に配置された第１リード線及び第２リード線は互いに対向し、収納容器２０１０の第１側壁２０１３の近くに配置される。ランプチューブの折曲部は固定突出２０１２に挿入される。
【０２０９】
ランプホルダー２０５、連結プレート２０４０及び電源供給基板２０６０は、図２７〜図３１に示されたランプホルダー１１５０、連結プレート１１４０及び電源供給基板１１６０と実質的に同一である。
【０２１０】
従って、電源供給基板２０６０の上面には導電配線の一部が露出され接続部が形成される。ランプホルダー２０５０は連結プレート２０４０に形成された固定ホールにそれぞれ挿入される。ランプホルダー２０５０はホルダー本体及び電源印加部材を含む。電源印加部材はホルダー本体の上部から下部まで貫通するように配置され、ホルダー本体の下部に露出された接続端子及びホルダー本体の上部に突出された電源印加端子を含む。ランプホルダー２０５０は連結プレート２０４０に固定されたまま収納容器２０１０の底板２０１１に形成された開口にそれぞれ挿入される。
【０２１１】
電源供給基板２０６０、連結プレート２０４０及び底板２０１１は締結部材、例えば、スクリュー２０７０によって相互に結合される。この際、連結プレート２０４０の背面に露出されたランプホルダー２０５０の接続端子は、電源供給基板２０６０によって形成された接続部に直接接触する。
【０２１２】
他の実施例においては、連結プレート２０４０と電源供給基板２０６０が締結部材、例えば、固定クリップによって相互結合された後、底板２０１１上に固定することができる。
【０２１３】
バックライトアセンブリ２０００は反射シート２０２７、第１サイドモールド２０８１、第２サイドモールド２０８３及び光学ユニット２０９０をさらに含む。反射シート２０２７、第１サイドモールド２０８１、第２サイドモールド２０８３及び光学ユニット２０９０は図４２及び図４３に示された反射シート１７４０、第１サイドモールド１８１０、第２サイドモールド１８３０及び光学ユニット１８５０と同一である。
【０２１４】
図４７は本発明の第２１実施例によるバックライトアセンブリの分解斜視図である。図４８は図４７に示されたバックライトアセンブリをXIV-XIV'線に沿って切断した部分断面図である。
【０２１５】
図４７及び図４８に示すように、バックライトアセンブリ２２００は収納容器２２１０、電源供給基板２２４０、複数個のランプ２２５０、電源電圧提供ワイヤー２２３１及びランプホルダー２２０１を含む。
【０２１６】
電源供給基板２２４０は、収納容器２２１０の底板２２１１の背面に配置され、ランプ２２５０に電源電圧を提供する。電源供給基板２２４０にはコネクタが形成される。ランプ２２５０は底板２２１１上に配置される。
【０２１７】
複数個のランプホルダー２２０１は収納容器２２１０の側壁に沿って底板２２１１に配置される。ランプホルダー２２０１はホルダー本体２２０２及び電源印加部材２２０４を含む。ランプホルダー２２０１はホルダー本体２２０２の下部に固定突起２２０３が形成された点を除いては、図５に示されたランプホルダー２００と実質的に同一である。従って、電源印加部材２２０４は第１クリップ部２２０５及び第２クリップ部２２０６を含む。
【０２１８】
電源電圧提供ワイヤー２２３１は複数個のランプ２２５０に電源電圧を提供する。電源電圧提供ワイヤー２２３１は電源供給基板２２４０とランプ２２５０とを電気的に並列接続する。
【０２１９】
具体的に、電源電圧提供ワイヤー２２３１は電源供給基板２２４０に形成されたコネクターに電気的に接続され、底板２２１１に形成された開口を通じて収納容器２２１０の内側に引出される。
【０２２０】
複数個のランプホルダー２２０１は電源電圧提供ワイヤー２２３１に沿って一定の間隔に配置され、電源電圧提供ワイヤー２２３１はランプホルダー２２０１の第１クリップ部２２０５にそれぞれ圧接接続される。
【０２２１】
ランプチューブ２２５１の端部はランプホルダー２２０１のランプ支持部によってガイドされ、端部に配置された電極２２５５のリード線２２５９は第２クリップ部２２０６に挿入され固定される。それにより、複数個のランプ２２５０が１つの電源供給基板２２４０で並列駆動される。
【０２２２】
バックライトアセンブリ２２００はサイドモールド２２２０をさらに含む。サイドモールド２２２０はランプホルダー２２０１をカバーし光学ユニットを支持する。サイドモールド２２２０は下部サイドモールド２２２１及び上部サイドモールド２２２５を含む。
【０２２３】
下部サイドモールド２２２１は略‘Ｌ’字形状を有し、収納容器２２１０の一側壁２２１３に沿って底板２２１１に配置される。下部サイドモールド２２２１にはランプホルダー２２０１が一定の間隔に配置される。他の実施例においては、下部サイドモールド２２２１及びランプホルダー２２０１は一体に形成してもよい。
【０２２４】
上部サイドモールド２２２５は下部サイドモールド２２２１と結合して、ランプホルダー２２０１を保護する。上部サイドモールド２２２５の上部には光学ユニットが配置される段差部が形成される。
【０２２５】
図４２〜図４８に示されたバックライトアセンブリによると、複数個のランプホルダー収納容器の底板に直接締結せず、電源供給基板または連結プレートに取り付けられたまま収納容器の底板に形成された開口に挿入されるか、電源電圧提供ワイヤーと装着及び脱着の可能な方式で結合する。従って、収納容器の底板にランプホルダーを固定する工程を省略できバックライトアセンブリの組立性が向上する。
【０２２６】
表示装置
図４９は本発明第２２実施例による表示装置の分解斜視図である。図５０は図４９に示された表示装置をXV-XV'線に沿って切断した断面図である。
【０２２７】
図４９及び図５０に示すように、表示装置２４００は収納容器２３１０、複数個のランプ２３２０、複数個のランプホルダー２３５０、電源供給ユニット２３３０及び表示パネル２４３０を含む。
【０２２８】
収納容器２３１０及びランプ２３２０は図４２に示された収納容器１７１０及びランプ１７０５と同一である。ランプホルダー２３５０は図４５及び図４６に示されたランプホルダー２０５０と同一である。
【０２２９】
従って、ランプホルダー２３５０はホルダー本体２３５１及び電源印加部材２３５５を含む。ホルダー本体２３５１は収納容器２３１０の底板２３１１に形成された開口２３１２にそれぞれ挿入される。電源印加部材２３５５は接続端子２３６６及び電源印加端子を含む。接続端子２３６６はホルダー本体２３５１に固定されて底板２３１１の背面に露出し、電源印加端子は底板２３１１の上部に露出し、ランプ２３２０の電極部２３２５を固定する。
【０２３０】
電源供給ユニット２３３０はランプホルダー２３５０を通じてランプ２３２０に電源電圧を供給する。電源供給ユニット２３３０には固定部及び接続部２３６６が形成される。固定部にはランプホルダー２３５０がそれぞれ固定される。接続部２３６６はランプホルダー２３５０の接続端子２３６６と直接接触する。
【０２３１】
本実施例において、電源供給ユニット２３３０は連結プレート２３４０及び電源供給基板２３６０を含む。連結プレート２３４０及び電源供給基板２３６０は図４５及び図４６に示された連結プレート２０４０及び電源供給基板２０６０と実質的に同一である。
【０２３２】
従って、連結プレート２３４０は電源供給基板２３６０と底板２３１１との間に介在する。固定部は連結プレート２３４０に形成された固定ホール２３４１であり、電源供給基板２３６０の上面に導電配線の一部が露出し接続部２３６６が形成される。
【０２３３】
他の実施例においては、電源供給ユニット２３３０は絶縁基板及び導電配線を含む。この場合、絶縁基板には固定部が形成される。固定部は図２１〜図２６に示された固定部１０４１とすることができる。この場合、導電配線は一部が固定部１０４１の第１突出部１０４３の側面から突出し接続部を形成する。
【０２３４】
さらにまたの実施例において、固定部は絶縁基板に形成された、図１５に示されたような、固定ホール６１１を挙げることができる。この場合、導電配線は絶縁基板の背面に一部が露出し接続部を形成する。この際、ランプホルダー２３５０の接続端子２３６６は絶縁基板の背面に露出し接続部２３６６に直接接触するか半田付けされる。
【０２３５】
表示装置２４００は反射シート２３２７、第１サイドモールド２３８１、第２サイドモールド２３８３、光学ユニット２３９０及びミドルモールド２４１０をさらに含む。反射シート２３２７、第１サイドモールド２３８１、第２サイドモールド２３８３及び光学ユニット２３９０は図４２及び図４３に示された反射シート１７４０、第１サイドモールド１８１０、第２サイドモールド１８３０及び光学ユニット１８５０と同一である。
【０２３６】
ミドルモールド２４１０は光学ユニット２３９０の端部位をカバーし、収納容器２３１０と結合する。ミドルモールド２４１０の上部には表示パネル２４３０が配置される段差部が形成される。
【０２３７】
表示装置２４００はランプ２３２０から出射した光学ユニット２３９０を経由した光に基づいて画像を表示する。表示パネル２４３０はミドルモールド２４１０上に配置される。表示パネル２４３０は第１基板２４４０、第１基板２４４０と対向する第２基板２４５０及び第１基板２４４０と第２基板２４５０との間に介在する液晶層を含む。
【０２３８】
第１基板２４４０と第２基板２４５０には液晶層を制御するための電極が形成され、第１基板２４４０には印刷回路基板２４４５及び可撓性印刷回路フィルム２４４７を通じて電極に電気場を形成するためのデータ電圧が印加される。電気場によって液晶層が再配列し表示パネル２４３０を透過する光量が変更する。それにより、表示装置２４００は表示パネル２４３０に所望する階調の画像を表示する。
【０２３９】
表示装置２４００は表示パネル２４３０の端部位をカバーし、表示パネル２４３０の有効表示領域を露出させるトップシャーシ２４７０をさらに含む。
【産業上の利用可能性】
【０２４０】
以上、ランプのリード線の端部に形成された離脱防止部はランプが長さ方向に導電性クリップから離脱することを防止する。従って、ランプホルダーとランプがより堅固に結合される。
【０２４１】
また、電源電圧提供ワイヤーとランプ電極がランプホルダーの電源印加部材にそれぞれ挿入され電気的連結部の断線が防止でき、組立性を向上することができる。
【０２４２】
また、ランプホルダーの導電性接着部材または２つ以上の端子部に分割されたアース端子によって、ランプのリード線は電源印加端子と電気的接続を保持したまま移動可能となっている。従って、ランプ及びランプホルダーに加えられた外部衝撃によるランプの損傷が防止できる。
【０２４３】
また、ランプのリード線はランプホルダーの電源印加端子に装着及び脱着の可能な方式で結合され、ランプホルダーの接続端子は電源供給基板に形成された接続部に直接接触する。従って、半田付け工程を省略でき電気的接続部位の信頼性を向上し、電源供給モジュール及びそれを含むバックライトアセンブリの組立性を向上することができる。
【０２４４】
また、連結プレートと電源供給基板は用意に相互結合及び分離される。従って、ランプホルダーからランプを分離させず、電源供給基板のみを電源供給モジュールまたはバックライトアセンブリから分離して再加工作業を実施する。
【０２４５】
また、複数個のランプホルダーは収納容器の底板に締結されず、電源供給基板または連結プレートに取り付けられたまま収納容器と結合する。従って、収納容器の底板にランプホルダーを固定する工程を省略でき、バックライトアセンブリ及びそれを有する表示装置の組立性を向上することができる。
【０２４６】
例えば、本発明によると、電源供給モジュール、それを有するバックライトアセンブリ及び表示装置の外部衝撃に対する信頼性及び組立性を向上することができる。
【０２４７】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０２４８】
【図１】本発明の第１実施例によるランプの斜視図である。
【図２】図１に示されたランプの平面図である。
【図３】図１に示されたランプをI-I'線に沿って切断した断面図である。
【図４】本発明の第２実施例によるランプの平面図である。
【図５】本発明の第３実施例によるランプホルダーの斜視図である。
【図６】本発明の第４実施例によるランプホルダーの斜視図である。
【図７】本発明の第５実施例によるランプホルダーの斜視図である。
【図８】図７に示されたランプホルダーの分解斜視図である。
【図９】図７に示されたランプホルダーをII-II'線に沿って切断した断面図である。
【図１０】本発明の第６実施例によるランプホルダーの分解斜視図である。
【図１１】図１０に示されたランプホルダーをIII-III'線に沿って切断した断面図である。
【図１２】図１０に示されたランプホルダーをIV-IV'線に知って切断した断面図である。
【図１３】本発明の第７実施例による電源供給モジュールの斜視図である。
【図１４】図１３に示された電源供給モジュールの背面斜視図である。
【図１５】図１３に示された電源供給モジュールの分解斜視図である。
【図１６】図１３に示されたランプホルダーの斜視図である。
【図１７】図１３に示された電源供給ユニットをV-V'線に沿って切断した断面図である。
【図１８】本発明の第８実施例による電源供給モジュールの部分断面図である。
【図１９】本発明の第９実施例による電源供給モジュールの部分断面図である。
【図２０】本発明の第１０実施例による電源供給モジュールの斜視図である。
【図２１】本発明の第１１実施例による電源供給モジュールの斜視図である。
【図２２】図２１に示された電源供給モジュールの分解斜視図である。
【図２３】図２２に示されたランプホルダーの斜視図である。
【図２４】図２２に示された電源供給基板の一部領域の斜視図である。
【図２５】図２２に示された電源供給モジュールをVI-VI'線に沿って切断した断面図である。
【図２６】図２２に示された電源供給モジュールをVI-VI'線に沿って切断した断面図である。
【図２７】本発明の第１２実施例による電源供給モジュールの斜視図である。
【図２８】図２７に示された電源供給モジュールの分解斜視図である。
【図２９】図２８に示された電源供給モジュールを他の角度から観察した分解斜視図である。
【図３０】図２８に示された電源供給モジュールをVII-VII'線に沿って切断した断面図である。
【図３１】図２８に示された電源供給モジュールをVIII-VIII'線に沿って切断した断面図である。
【図３２】本発明の第１３実施例による電源供給モジュールの分解斜視図である。
【図３３】図３２に示されたランプホルダーの斜視図である。
【図３４】図３２に示された電源供給モジュールをIX-IX'線に沿って切断した断面図である。
【図３５】本発明の第１４実施例による電源供給モジュールが含むランプホルダーの斜視図である。
【図３６】本発明の第１５実施例による電源供給モジュールの斜視図である。
【図３７】図３６に示された電源供給モジュールの分解斜視図である。
【図３８】本発明の第１６実施例による電源供給モジュールの分解斜視図である。
【図３９】図３８に示された電源供給モジュールをX-X'線に沿って切断した断面図である。
【図４０】本発明の第１７実施例による電源供給モジュールの分解斜視図である。
【図４１】図４０に示された電源供給モジュールをXI-XI'線に沿って切断した断面図である。
【図４２】本発明の第１８実施例によるバックライトアセンブリの分解斜視図である。
【図４３】図４２に示されたバックライトアセンブリをXII-XII'線に沿って切断した断面図である。
【図４４】本発明の第１９実施例によるバックライトアセンブリの断面図である。
【図４５】本発明の第２０実施例によるバックライトアセンブリの分解斜視図である。
【図４６】図４５に示されたバックライトアセンブリをXIII-XIII'線に沿って切断した断面図である。
【図４７】本発明の第２１実施例によるバックライトアセンブリの分解斜視図である。
【図４８】図４７に示されたバックライトアセンブリをXIV-XIV'線に沿って切断した部分断面図である。
【図４９】本発明の第２２実施例による表示装置の分解斜視図である。
【図５０】図４９に示された表示装置をXV-XV'線に沿って切断した断面図である。
【符号の説明】
【０２４９】
６０      ランプ
６１      ランプチューブ
６５      連結部
６７      離脱防止部
６８      リード線
２００、４００、６５０      ランプホルダー
２１０、４１０      ホルダー本体
２５０      電源印加部材
２５１、２２０５      第１クリップ
２５５、２２０６      第２クリップ
２７０、２２３１      電源電圧提供ワイヤー
４１１      ランプ支持溝
４１２      収納空間
４１３      締結溝
４３０、６４０      電源印加部材
４３１、６４５      電源印加端子
４３５、６４１      接続端子
４５０      導電性接着部材
４７０      ホルダーキャップ
６００      電源供給モジュール
６１０、１０４０、１１６０      電源供給基板
６１１      固定ホール
６１５、１０４４、１１６６      接続部
１０３７      締結溝
１０４１      固定部
１０４３      第１突出部
１０４５      第２突出部
１１４０      連結プレート
１４７０      締結部材
１５４３      締結突起
１７０５      ランプ
１７１０      収納容器
１８００      バックライトアセンブリ
１８１０      サイドモールド
１８５０      光学ユニット
２４００      表示装置
【図１】
2006344602.tif 000003
【図２】
2006344602.tif 000004
【図３】
2006344602.tif 000005
【図４】
2006344602.tif 000006
【図５】
2006344602.tif 000007
【図６】
2006344602.tif 000008
【図７】
2006344602.tif 000009
【図８】
2006344602.tif 000010
【図９】
2006344602.tif 000011
【図１０】
2006344602.tif 000012
【図１１】
2006344602.tif 000013
【図１２】
2006344602.tif 000014
【図１３】
2006344602.tif 000015
【図１４】
2006344602.tif 000016
【図１５】
2006344602.tif 000017
【図１６】
2006344602.tif 000018
【図１７】
2006344602.tif 000019
【図１８】
2006344602.tif 000020
【図１９】
2006344602.tif 000021
【図２０】
2006344602.tif 000022
【図２１】
2006344602.tif 000023
【図２２】
2006344602.tif 000024
【図２３】
2006344602.tif 000025
【図２４】
2006344602.tif 000026
【図２５】
2006344602.tif 000027
【図２６】
2006344602.tif 000028
【図２７】
2006344602.tif 000029
【図２８】
2006344602.tif 000030
【図２９】
2006344602.tif 000031
【図３０】
2006344602.tif 000032
【図３１】
2006344602.tif 000033
【図３２】
2006344602.tif 000034
【図３３】
2006344602.tif 000035
【図３４】
2006344602.tif 000036
【図３５】
2006344602.tif 000037
【図３６】
2006344602.tif 000038
【図３７】
2006344602.tif 000039
【図３８】
2006344602.tif 000040
【図３９】
2006344602.tif 000041
【図４０】
2006344602.tif 000042
【図４１】
2006344602.tif 000043
【図４２】
2006344602.tif 000044
【図４３】
2006344602.tif 000045
【図４４】
2006344602.tif 000046
【図４５】
2006344602.tif 000047
【図４６】
2006344602.tif 000048
【図４７】
2006344602.tif 000049
【図４８】
2006344602.tif 000050
【図４９】
2006344602.tif 000051
【図５０】
2006344602.tif 000052